(57)【要約】      （修正有）【課題】ＨＤＤなどの電子モジュールユニットを無理な力がかかることのない状態に取り付けることができ、且つ、取付時の作業性が良く低コストなホルダーを提供する。【解決手段】ＨＤＤホルダー１０は、矩形枠状の枠体１１と、枠体１１の縦枠部から曲げ起こされた第１、第２取付部１２、１３と、縦枠部に対向する縦枠部から曲げ起こされた第３、第４取付部１４、１５を備える。縦枠部の両端をネジ固定することでＨＤＤホルダー１０を４点でＨＤＤ１に固定する。そして、第１〜第４取付部１２〜１５の先端をユニットフレーム２０にネジ固定することで、４点でＨＤＤホルダー１０をユニットフレーム２０に固定する。縦枠部は第１取付部１２の曲げ起こし幅が大きいために縦枠部よりも曲げ強度が高い。また、第２取付部１３は、４本の取付部の中で最も細長く容易に撓む。【選択図】図１
2015022781.tif 000002
【特許請求の範囲】
【請求項１】
電子モジュールユニットを固定する第１のモジュール固定部を有する第１の曲げ強度の第１の支持部と、
前記電子モジュールユニットを固定する第２のモジュール固定部を有する前記第１の曲げ強度よりも小さい第２の曲げ強度の第２の支持部と、
前記第１の支持部に接続される第１のホルダー取付部と、
前記第２の支持部に接続される第２のホルダー取付部と、
前記第２の支持部に接続される第３のホルダー取付部と、を備え、
前記第１の支持部及び前記第２の支持部に前記電子モジュールユニットを配設することを特徴とする電子モジュールユニットホルダー。
【請求項２】
前記第１の支持部および前記第１のホルダー取付部は導電性の金属板であることを特徴とする請求項１に記載の電子モジュールユニットホルダー。
【請求項３】
前記第１のホルダー取付部は、前記第１の支持部から屈曲され、
前記第２のホルダー取付部は、前記第２の支持部から屈曲され、
前記第１のホルダー取付部の曲げ部の幅は、前記第２のホルダー取付部の曲げ部の幅よりも広い請求項１または２に記載の電子モジュールユニットホルダー。
【請求項４】
前記第１の支持部から屈曲された第４のホルダー取付部を有し、
前記第３のホルダー取付部は、前記第２の支持部から屈曲される請求項３に記載の電子モジュールユニットホルダー。
【請求項５】
前記第４のホルダー取付部の曲げ部の幅は、前記第１ないし第３のホルダー取付部の曲げ部の幅よりも小さく、
前記第４のホルダー取付部の第１支持部からの延出長さは、前記第２、第３のホルダー取付部の前記第２の支持部からの延出長さよりも長い請求項４に記載の電子モジュールユニットホルダー。
【請求項６】
前記第１のホルダー取付部、前記第２のホルダー取付部、前記第３のホルダー取付部、及び前記第４のホルダー取付部は、ネジ固定部を有する請求項５に記載の電子モジュールユニットホルダー。
【請求項７】
電子モジュールユニットと、
当該電子モジュールユニットを固定する第１のモジュール固定部を有する第１の曲げ強度の第１の支持部、前記電子モジュールユニットを固定する第２のモジュール固定部を有する前記第１の曲げ強度よりも小さい第２の曲げ強度の第２の支持部、前記第１の支持部に接続される第１のホルダー取付部、前記第２の支持部に接続される第２のホルダー取付部、及び前記第２の支持部に接続される第３のホルダー取付部を有して、前記第１の支持部及び前記第２の支持部に前記電子モジュールユニットを配設する電子モジュールユニットホルダーと、
前記第１のホルダー取付部を取り付ける第１取付部、前記第２のホルダー取付部を取り付ける第２取付部、及び前記第３のホルダー取付部を取り付ける第３取付部を有するフレームと、を備えることを特徴とする電子機器。
【請求項８】
電子モジュールユニットと、
前記電子モジュールユニットを固定する第１のモジュール固定部を有する第１の曲げ強度の第１の支持部、前記電子モジュールユニットを固定する第２のモジュール固定部を有する前記第１の曲げ強度よりも小さい第２の曲げ強度の第２の支持部、前記第１の支持部に接続される第１のホルダー取付部、前記第２の支持部に接続される第２のホルダー取付部、及び前記第２の支持部に接続される第３のホルダー取付部を有して、前記第１の支持部及び前記第２の支持部に前記電子モジュールユニットを配設する電子モジュールユニットホルダーと、
前記第１のホルダー取付部を取り付ける第１取付部、前記第２のホルダー取付部を取り付ける第２取付部、及び前記第３のホルダー取付部を取り付ける第３取付部を有するフレームと、
印刷を行う印刷部と、を備えることを特徴とするプリンター。
【発明の詳細な説明】
【技術分野】
【０００１】
本発明は、ハードディスクドライブなどの電子モジュールユニットを電子機器に搭載する際に用いるホルダーに関する。また、当該ホルダーを用いて電子モジュールユニットが搭載されている電子機器およびプリンターに関する。
【背景技術】
【０００２】
ハードディスクドライブ（以下、ＨＤＤという）などの記憶装置は、一般に偏平な直方体形状のモジュールユニットの形態をしており、板金製の取付部材（以下、ホルダーという）を用いて装置内の搭載場所に取り付けられる。ＨＤＤは、レーザープリンター等のプリンター、複写機、ファクシミリ、スキャナー、これらの複合機、および、その他の電子機器に組み込まれるコンピューターに広く用いられている。
【０００３】
特許文献１には、ＨＤＤの取付け構造が開示されている。当該特許文献においては、ＨＤＤであるディスク記憶部の両側の端面が、板材を折り曲げて形成したホルダーである収容部の両側壁に、振動吸収部材を介して４本のネジによって固定されている。ＨＤＤが固定された収容部（ホルダー）は、画像形成装置のプリント処理部に設けられた台座に取り付けられる。
【先行技術文献】
【特許文献】
【０００４】
【特許文献１】特開２０１０−１３４０２５号公報
【発明の概要】
【発明が解決しようとする課題】
【０００５】
特許文献１においては、ＨＤＤの両側の側面を、それぞれ、２本ずつのネジで、ホルダーの側壁に固定している。ここで、ホルダーとして板金部材を用いる場合、ホルダーを介してＨＤＤを接地することができるが、十分な接地および固定を行うためには、ＨＤＤを４点でホルダーにネジ止めすることが推奨されている。
【０００６】
また、ＨＤＤは、取付時に無理な力が加わって歪みや捩れが生じると、正常動作を保証できない場合もある。例えば、平面にネジ止めする場合には、取付面の平面度を０．１ｍｍ以下にしなければならない仕様のＨＤＤもある。このような場合、板金製のホルダーに寸法誤差や歪み等があると、ＨＤＤを取り付ける取付面の平面度を確保できず、正常動作を保証できる状態に取り付けることができない。従って、取付面の精度を出した高価な部品を用いたり、複数部品を調整して精度良く組み立てたホルダーを用いる必要があり、コストアップの要因となってしまう。また、組立作業を精度良く行わなければならないという問題点もある。
【０００７】
本発明は、このような点に鑑みて、ＨＤＤなどの電子モジュールユニットを無理な力がかかることのない状態に取り付けることが可能で、且つ、取付時の作業性が良く低コストのホルダーを提供すること、および、このようなホルダーを用いて電子モジュールユニットが搭載されている電子機器およびプリンターを提供することにある。
【課題を解決するための手段】
【０００８】
上記の課題を解決するために、本発明の電子モジュールユニットホルダーは、電子モジュールユニットを固定する第１のモジュール固定部を有する第１の曲げ強度の第１の支持部と、前記電子モジュールユニットを固定する第２のモジュール固定部を有する前記第１の曲げ強度よりも小さい第２の曲げ強度の第２の支持部と、前記第１の支持部に接続される第１のホルダー取付部と、前記第２の支持部に接続される第２のホルダー取付部と、前記第２の支持部に接続される第３のホルダー取付部と、を備え、前記第１の支持部及び前記第２の支持部に前記電子モジュールユニットを配設することを特徴としている。
【０００９】
本発明の電子モジュールユニットホルダーは、第１、第２の支持部のそれぞれに電子モジュールユニットを固定する構造において、第１、第２の支持部の一方が他方よりも曲げ強度が大きくなっている。このため、曲げ強度が大きい側の支持部を基準として電子モジュールユニットをホルダーに固定して、曲げ強度が小さい側の支持部を電子モジュールユニットに沿わせて取り付けることができる。このようにすると、電子モジュールユニットホルダーの製造誤差や歪みによって支持部の平面度が低い場合であっても、固定された電子モジュールユニットに無理な力がかかりにくくすることができる。従って、電子モジュールユニットの正常動作を保証する状態に取り付けるために電子モジュールユニットホルダーを精密な形状にする必要がなく、低コストの取付け構造となる。また、第１、第２の支持部を電子モジュールユニットの一つの面に添わせて一方向からの固定作業によって固定でき、細かな位置調整を行う必要もないため、取付時の作業性が良い。
【００１０】
本発明において、前記第１の支持部および前記第１のホルダー取付部は導電性の金属板からなることが望ましい。このようにすると、電子モジュールユニットホルダーを介して電子モジュールユニットを接地できる。
【００１１】
また、本発明において、前記第１のホルダー取付部は、前記第１の支持部から屈曲され、前記第２のホルダー取付部は、前記第２の支持部から屈曲され、前記第１のホルダー取付部の曲げ部の幅は、前記第２のホルダー取付部の曲げ部の幅よりも広い構成とすることができる。このように、曲げ部の幅を広くすることによって第１の支持部の曲げ強度を大きくすることができる。よって、均一な板厚の金属板を用いて、曲げ強度の大きい箇所と小さい箇所のある電子モジュールユニットホルダーを形成できる。
【００１２】
ここで、本発明において、前記第１の支持部から屈曲された第４のホルダー取付部を有し、前記第３のホルダー取付部は、前記第２の支持部から屈曲される構成としてもよい。このようにすると、４点でホルダーを取付箇所に固定でき、４点で接地を取ることができる。
【００１３】
また、本発明において、前記第４のホルダー取付部の曲げ部の幅は、前記第１ないし第３のホルダー取付部の曲げ部の幅よりも小さく、前記第４のホルダー取付部の第１支持部からの延出長さは、前記第２、第３のホルダー取付部の前記第２の支持部からの延出長さよりも長いことが望ましい。このようにすると、最も撓みにくいホルダー取付部の隣に最も細長く撓みやすいホルダー取付部が配置されるので、４点で固定しながらも、電子モジュールユニットに無理な力がかかりにくくすることができる。
【００１４】
この場合に、前記第１のホルダー取付部、前記第２のホルダー取付部、前記第３のホルダー取付部、及び前記第４のホルダー取付部は、ネジ固定部を有することが望ましい。このようにすると、電子モジュールユニットホルダーの対向する２辺を、それぞれ間隔を開けて２点でネジ固定できる。従って、電子モジュールユニットをバランス良く支持できる。
【００１５】
次に、本発明の電子機器は、電子モジュールユニットと、当該電子モジュールユニットを固定する第１のモジュール固定部を有する第１の曲げ強度の第１の支持部、前記電子モジュールユニットを固定する第２のモジュール固定部を有する前記第１の曲げ強度よりも小さい第２の曲げ強度の第２の支持部、前記第１の支持部に接続される第１のホルダー取付部、前記第２の支持部に接続される第２のホルダー取付部、及び前記第２の支持部に接続される第３のホルダー取付部を有して、前記第１の支持部及び前記第２の支持部に前記電子モジュールユニットを配設する電子モジュールユニットホルダーと、前記第１のホルダー取付部を取り付ける第１取付部、前記第２のホルダー取付部を取り付ける第２取付部、及び前記第３のホルダー取付部を取り付ける第３取付部を有するフレームと、を備えることを特徴とする。
【００１６】
また、本発明のプリンターは、電子モジュールユニットと、前記電子モジュールユニットを固定する第１のモジュール固定部を有する第１の曲げ強度の第１の支持部、前記電子モジュールユニットを固定する第２のモジュール固定部を有する前記第１の曲げ強度よりも小さい第２の曲げ強度の第２の支持部、前記第１の支持部に接続される第１のホルダー取付部、前記第２の支持部に接続される第２のホルダー取付部、及び前記第２の支持部に接続される第３のホルダー取付部を有して、前記第１の支持部及び前記第２の支持部に前記電子モジュールユニットを配設する電子モジュールユニットホルダーと、前記第１のホルダー取付部を取り付ける第１取付部、前記第２のホルダー取付部を取り付ける第２取付部、及び前記第３のホルダー取付部を取り付ける第３取付部を有するフレームと、印刷を行う印刷部と、を備えることを特徴とする。
【図面の簡単な説明】
【００１７】
【図１】ＨＤＤを取り付けた本発明の電子モジュールユニットホルダー（ＨＤＤホルダー）をプリンターに内蔵されている本体フレームに取り付けた状態を示す斜視図である。
【図２】ＨＤＤホルダーの平面図および斜視図である。
【図３】ＨＤＤの取付け構造を示す分解斜視図である。
【図４】ＨＤＤホルダーを用いてＨＤＤを搭載したプリンターの一例を示す説明図である。
【発明を実施するための形態】
【００１８】
以下に、図面を参照して、本発明を適用した電子モジュールユニットホルダー、当該電子モジュールユニットホルダーを用いて電子モジュールユニットを取り付けた電子機器の実施の形態を説明する。以下の説明は、電子モジュールユニットおよび電子モジュールユニットホルダーとして、プリンター（電子機器）に搭載されるＨＤＤ１と、このＨＤＤ１をプリンターの制御ユニット等のユニットフレーム２０（装置フレーム）に取り付ける際に用いるＨＤＤホルダー１０を例に挙げて説明する。
【００１９】
（ＨＤＤホルダーおよびこれを用いたＨＤＤの取付け構造）
図１はＨＤＤ１を取り付けたＨＤＤホルダー１０をプリンターに内蔵されているユニットフレーム２０に取り付けた状態を示す斜視図であり、図２（ａ）（ｂ）はＨＤＤホルダー１０の平面図および斜視図である。また、図３はＨＤＤ１の取付け構造を示す分解斜視図であり、図３（ａ）はＨＤＤホルダー１０へのＨＤＤ１の取付け構造、図３（ｂ）はＨＤＤ１が固定されたＨＤＤホルダー１０のユニットフレーム２０への取付け構造を示している。
【００２０】
まず、ＨＤＤホルダー１０を介してＨＤＤ１が取り付けられるユニットフレーム２０について説明する。図１、図３（ｂ）に示すように、ユニットフレーム２０は、長方形の底板部２１と、底板部２１の３辺から直角に曲げ起こされている側板部２２、２３、２４を備えている。底板部２１および側板部２２、２３、２４によって囲まれる空間は、電子機器を制御する制御基板（図示せず）等を配置する収容部２０Ａとなっており、収容部２０Ａの上部がＨＤＤ１を配置する空間となっている。収容部２０Ａに配置される制御基板には、ＣＰＵチップを含む各種の部品が搭載されている。ユニットフレーム２０およびその収容部２０Ａに配置される各種部品やＨＤＤ１は、プリンターの制御ユニットを構成している。これらの部品あるいはＨＤＤ１に接続される配線やコネクター部は、底板部２１の短辺から曲げ起こされた側板部２３に形成された複数の開口を通ってユニットフレーム２０の外部に引き出すことができる。
【００２１】
ユニットフレーム２０の側板部２２の上端部には、ユニットフレーム２０の幅方向の外側に向けて折れ曲がった第１、第２取付片２５、２６（第１、第２取付部）が、底板部２１と平行に延びている。また、側板部２２と平行に配置された側板部２４の上端部には、第１、第２取付片２５、２６と逆向きに折れ曲がった第３、第４取付片２７、２８（第３、第４取付部）が、底板部２１と平行に延びている。第１〜第４取付片２５〜２８には、図３（ｂ）に示すように、ＨＤＤホルダー１０がネジ止めされる４つのネジ孔２５ａ〜２８ａが形成されている。
【００２２】
図１、図３に示すように、ＨＤＤ１は偏平な直方体形状をしたユニットである。ＨＤＤ１は、矩形の上面２および底面３と、幅方向の両側の細長い矩形の側面４、５と、長さ方向の両端の細長い前端面６および後端面７を備えている。前端面６には、配線等を接続するコネクター（図示せず）が設けられている。ＨＤＤ１は、前端面６をユニットフレーム２０の側板部２３に向けるように配置されている。ＨＤＤ１の底面３の４隅には、４本の固定用のネジ８によってＨＤＤホルダー１０がネジ止めされる４つのネジ孔（図示せず）が形成されている。これら４つのネジ孔のうち、少なくとも３つを用いて少なくとも３箇所でネジ止めすることにより、ＨＤＤ１をＨＤＤホルダー１０に固定できるが、本形態では４箇所全てをネジ止めする。なお、３箇所でネジ止めする場合には、コネクターが設けられている前端面６側の２箇所のネジ孔と、後端面７側の１箇所のネジ孔を用いてＨＤＤ１をネジ止めすることが望ましい。
【００２３】
ＨＤＤホルダー１０は、例えば０．８ｍｍ程度の厚さの導電性の金属板を加工して製造した板金製の部材である。図１〜図３に示すように、ＨＤＤホルダー１０は、ＨＤＤ１がネジ止めされる矩形枠板状の枠体１１と、枠体１１の一方の辺（後述する縦枠部１１ａ）から曲げ起こされた曲げ起こし片である第１、第２取付部１２、１３（第１、第４のホルダー取付部）と、枠体１１の他方の辺（後述する縦枠部１１ｂ）から曲げ起こされた曲げ起こし片である第３、第４取付部１４、１５（第２、第３のホルダー取付部）を備えている。ＨＤＤホルダー１０は、ユニットフレーム２０の第１〜第４取付片２５〜２８に対して、４本の固定用のネジ２９によって第１〜第４取付部１２〜１５をネジ止めすることによって、ユニットフレーム２０に取り付けられる。
【００２４】
図２に示すように、枠体１１は、ＨＤＤ１の平面形状に対応する長方形の外形をしており、外周部分を枠状に残して中央部分がくり抜かれた形状となっている。枠体１１は、対向する２本の縦枠部１１ａ、１１ｂ（第１、第２の支持部）と、縦枠部１１ａ、１１ｂの端部同士をそれぞれ接続している２本の横枠部１１ｃ、１１ｄを備えている。枠体１１の４隅には、内周側に張り出す張り出し部１１ｅが形成されており、各張り出し部１１ｅには１箇所ずつネジ孔１１ｆ（第１、第２のモジュール固定部）が形成されている。縦枠部１１ａ、１１ｂは、それぞれの両端に形成されたネジ孔１１ｆによってＨＤＤ１にネジ止めされる。一方、横枠部１１ｃ、１１ｄは、両端の張り出し部１１ｅよりも中央寄りの部分が、ＨＤＤ１が取り付けられる側とは逆の側に凹んだ形状となっている。
【００２５】
図２（ａ）に示すように、枠体１１の長辺部分を構成する２本の縦枠部１１ａ、１１ｂのうち、一方の縦枠部１１ａ（第１の支持部）は、もう一方の縦枠部１１ｂ（第２の枠部分）よりも幅が広く形成されている。第１、第２取付部１２、１３は幅が広い側の縦枠部１１ａの縁から曲げ起こされている。第１取付部１２は、第１〜第４取付部１２〜１５の中で最も幅が広く、その幅は、枠体１１の長辺方向の寸法のおおむね半分以上となっている。第２取付部１３は、第１取付部１２に隣接して配置されている。第２取付部１３は、第１〜第４取付部１２〜１５の中で最も幅が狭く、且つ、枠体１１からの延出長さが最も長い取付部である。
【００２６】
第１取付部１２は、幅が広い側の縦枠部１１ａの縁から直角に折れ曲がって延びる第１側板部分１２ａと、第１側板部分１２ａの上端部から更に直角に折れ曲がって枠体１１の幅方向の外側に向けて枠体１１と平行に延びる第１連結板部分１２ｂと、第１連結板部分１２ｂの先端の一部分を更に枠体１１と平行に更に延ばした第１取付板部分１２ｃ（ネジ固定部）を備えている。第１取付板部分１２ｃは、第１連結板部分１２ｂにおける第２取付部１３から離れた側の端部に設けられ、ネジ孔１２ｄが形成されている。
【００２７】
第２取付部１３は、縦枠部１１ａの縁から第１取付部１２と同じ側に直角に折れ曲がって延びる第２側板部分１３ａと、第２側板部分１３ａから更に直角に折れ曲がって第１連結板部分１２ｂと同じ方向に延びる第２連結板部分１３ｂと、第２連結板部分１３ｂの先端に設けられた第２取付板部分１３ｃ（ネジ固定部）を備えている。第２取付板部分１３ｃには、ネジ孔１３ｄが形成されている。
【００２８】
第３、第４取付部１４、１５は、幅が狭い側の縦枠部１１ｂの縁から曲げ起こされている。第３取付部１４は、第１取付部１２の第１取付板部分１２ｃに対向する位置に配置されている。一方、第４取付部１５は、第１取付部１２の第２取付部１３側の端部に対向する位置に配置されており、第３、第４取付部１４、１５は所定の間隔を空けて配置されている。第４取付部１５は第２取付部１３とほぼ同一幅であるが、第３取付部１４は第２、第４取付部１３、１５よりも幅が広く、且つ、第１取付部１２よりは幅が狭い。
【００２９】
第３取付部１４は、縦枠部１１ｂの縁から第１、第２取付部１２、１３と同じ側に直角に折れ曲がって延びる第３側板部分１４ａと、第３側板部分１４ａから更に直角に折れ曲がって枠体１１の幅方向の外側に向けて第１、第２連結板部分１２ｂ、１３ｂと逆向きに延びる第３取付板部分１４ｃ（ネジ固定部）を備えている。第３取付板部分１４ｃには、ネジ孔１４ｄが形成されている。また、第３側板部分１４ａと第３取付板部分１４ｃとの間の折れ曲がり箇所は、中央部分に切り欠き穴１４ｂが形成されて幅方向の両端だけがつながった形状となっている。
【００３０】
第４取付部１５は、縦枠部１１ｂの縁から第１〜第３取付部１２〜１４と同じ側に直角に折れ曲がって延びる第４側板部分１５ａと、第４側板部分１５ａから更に直角に折れ曲がって枠体１１の幅方向の外側に向けて第１、第２連結板部分１２ｂ、１３ｂと逆向きに延びる第４取付板部分１５ｃ（ネジ固定部）を備えている。第４取付板部分１５ｃには、ネジ孔１５ｄが形成されている。また、第４側板部分１５ａと第４取付板部分１５ｃとの間の折れ曲がり箇所は、中央部分には切り欠き穴１５ｂが形成されて幅方向の両端だけがつながった形状となっている。
【００３１】
ＨＤＤホルダー１０を介してＨＤＤ１をユニットフレーム２０に取り付けるとき、最初に、図３（ａ）に示すように、ＨＤＤ１をＨＤＤホルダー１０にネジ止めする。すなわち、ＨＤＤ１の底面３を枠体１１に当接させ、底面３の４隅に形成されたネジ孔と、枠体１１側の４隅に形成されたネジ孔１１ｆとを重ね合わせ、４本の固定用のネジ８をネジ止めする。これによって、枠体１１の縦枠部１１ａ、１１ｂがそれぞれ２点でＨＤＤの底面３にネジ止めされる。このとき、横枠部１１ｃ、１１ｄの中央部分は凹んでいるため、横枠部１１ｃ、１１ｄの中央部分とＨＤＤ１の底面３との間には隙間が形成される。
【００３２】
上述したように、枠体１１は、一方の縦枠部１１ａの方が幅が広く、且つ、縦枠部１１ａからは最も幅の広い第１取付部１２（基準取付部）が曲げ起こされている。このように、縦枠部１１ａと第１取付部１２は、広範囲に亘って連続した曲げ部によって接続されているため、曲げ強度が大きく撓みにくい部位となっている。一方、縦枠部１１ｂは縦枠部１１ａよりも幅が狭い上、縦枠部１１ｂと第３、第４取付部１４、１５との曲げ部は、縦枠部１１ａと第１取付部１２との曲げ部よりも範囲が狭い。このため、縦枠部１１ｂは縦枠部１１ａよりも曲げ強度が小さく撓みやすい部位となっている。
【００３３】
このように、枠体１１の一辺（縦枠部１１ａ）の曲げ強度を大きくし、他の辺（縦枠部１１ｂ）の曲げ強度を相対的に小さくした場合、ＨＤＤ１は、曲げ強度が大きい部位である縦枠部１１ａに２点でネジ止めされることによって、この縦枠部１１ａを基準として、縦枠部１１ａに沿った姿勢で枠体１１に取り付けられる。一方、枠体１１とＨＤＤ１とをネジ止めする他の２点は、曲げ強度が小さい縦枠部１１ｂに設けられているので、枠体１１の平面度が低かったり、あるいは枠体１１が歪んでいたとしても、曲げ強度が小さい側の縦枠部１１ｂがＨＤＤ１の底面３に沿った形状に容易に変形して、ＨＤＤ１に無理な力が加わることはない。従って、ＨＤＤ１は、ＨＤＤホルダー１０に対して、正常動作が保証される状態に取り付けられる。
【００３４】
次に、図３（ｂ）に示すように、ＨＤＤ１が取り付けられたＨＤＤホルダー１０をユニットフレーム２０の側板部２２、２４の間に掛け渡してネジ止めすることによって、ＨＤＤ１をユニットフレーム２０の収容部２０Ａの上部に固定する。すなわち、ユニットフレーム２０の第１〜第４取付片２５〜２８、および、ＨＤＤホルダー１０の第１〜第４取付板部分１２ｃ〜１５ｃの４組の取付片同士をそれぞれ重ね合わせ、ネジ孔２５ａとネジ孔１２ｄ、ネジ孔２６ａとネジ孔１３ｄ、ネジ孔２７ａとネジ孔１４ｄ、ネジ孔２８ａとネジ孔１５ｄの４組のネジ孔が重なるようにＨＤＤホルダー１０を位置決めする。そして、各ネジ孔に固定用のネジ２９をネジ止めする。
【００３５】
ＨＤＤホルダー１０は、第１〜第４取付板部分１２ｃ〜１５ｃのうち、少なくとも３箇所をネジ止めすることでユニットフレーム２０に対して固定すればよいが、本形態では４箇所全てをネジ止めして、４点固定の状態にしている。
【００３６】
ここで、第１〜第４取付部１２〜１５の中で最も撓みやすい取付部は、枠体１１からの延出長さが最も長い第２取付部１３である。従って、４箇所全てをネジ止めしたとき、第２取付部１３を除く他の３つの取付部によって３点でＨＤＤホルダー１０が位置決めされ、第２取付部１３はこれらに追従して撓むことになる。このとき、第２取付部１３は、最も強度が大きい第１取付部１２の隣に配置されているために、第２取付部１３が変形しても枠体１１および枠体１１に固定されたＨＤＤ１には無理な力が働きにくい構造となっている。
【００３７】
また、第２取付部１３を除く他の３つの取付部の中で最も撓みにくいのは第１取付部１２であり、ＨＤＤホルダー１０は、この第１取付部１２を基準としてユニットフレーム２０に対して固定される。そして、第３、第４取付部１４、１５は、上述したように切り欠き穴１４ｂ、１５ｂが形成されていて折れ曲がり箇所で容易に撓む。従って、第１、第３、第４取付部１２、１４、１５とこれらが固定される第１、第３、第４取付片２５、２７、２８との間に形状誤差があったとしても、第３、第４取付部１４、１５の折れ曲がり箇所が容易に変形して形状誤差を吸収できる。従って、ＨＤＤホルダー１０の枠体１１の部分には無理な力がかからず、ＨＤＤ１に無理な力が働くおそれがさらに低減されている。
【００３８】
（プリンター）
図４は、ＨＤＤホルダー１０を用いてＨＤＤ１を搭載したプリンターの一例を示す説明図である。プリンター６０は例えばＰＯＳプリンターであり、全体として直方体形状のプリンターケース６１の上面部分にカッター付きのジャーナル発行口６２が形成されている。また、その前面部分には単票紙の挿入口６３が形成され、ここから挿入して内部の印刷部によって印刷された単票紙が、プリンターケース６１の上面部分におけるジャーナル発行口６２の前側に形成した排出口６４から排出される。プリンターケース６１の下半部分の内部に、図において破線で示すように、制御ユニット４０が内蔵されている。制御ユニット４０は上述したようにユニットフレーム２０を備えており、このユニットフレーム２０に、ＨＤＤホルダー１０によってＨＤＤ１が取り付けられている。
【００３９】
（本形態の主な作用効果）
以上のように、本形態のＨＤＤホルダー１０は、枠体１１の縦枠部１１ａ、１１ｂの両端にそれぞれＨＤＤ１をネジ止めする構造であって、曲げ強度が大きい側の縦枠部１１ａを基準としてＨＤＤ１をＨＤＤホルダー１０に固定して、対向する縦枠部１１ｂをＨＤＤ１に沿わせて取り付けることができる。従って、ＨＤＤホルダー１０の製造誤差や歪みによって枠体１１の平面度が低い場合であっても、固定されたＨＤＤ１には無理な力がかかりにくい。従って、ＨＤＤ１の正常動作を保証する状態に取り付けるためにＨＤＤホルダー１０を精密な形状にする必要がなく、低コストな取付け構造となる。また、枠体１１をＨＤＤ１の底面３に添わせて一方向からの固定作業によって固定でき、細かな位置調整を行う必要もないため、取付時の作業性が良い。
【００４０】
また、本形態では、ＨＤＤホルダー１０を導電性の金属板によって形成しており、ＨＤＤ１とＨＤＤホルダー１０とのネジ止めを４点で行うと共に、ＨＤＤホルダー１０を４箇所でユニットフレーム２０に取り付けている。このように、４点固定とすることで、ＨＤＤ１の接地および固定を確実に行うことができる。
【００４１】
更に、本形態では、ＨＤＤホルダー１０をユニットフレーム２０に取り付ける第１〜第４取付部１２〜１５が、金属板を曲げ起こして形成されており、曲げ起こした取付片の形状や位置を適宜設定することで、固定時にＨＤＤ１に無理な力がかかるのを防止しつつ、接地および固定を十分に行うことができるようにしている。このようなＨＤＤホルダー１０は、高価な部材を用いたり精密な加工を行わずに安価に製造できる。具体的には、第１〜第４取付部１２〜１５の幅（すなわち、曲げ部が形成される範囲の大きさ）に差をつけることによって、縦枠部１１ａ、１１ｂの曲げ強度に差を付けることができる。また、縦枠部１１ａ、１１ｂの幅の広さを変えることによって、更に曲げ強度に差をつけることができる。そして、４つの取付部１２〜１５のうち、基準取付部である第１取付部１２に隣接する第２取付部１３を細長く撓みやすくすることで、４箇所で固定しながらも、ＨＤＤ１に無理な力がかかりにくくすることができる。
【００４２】
なお、縦枠部１１ａ、１１ｂの曲げ強度を他の方法で調節してもよい。例えば、縦枠部１１ａ、１１ｂを同一幅とし、リブ等を形成することによって曲げ強度を大きくしてもよい。あるいは、縦枠部１１ａの板厚を縦枠部１１ｂよりも大きくしてもよい。
【００４３】
（他の形態）
本発明の電子モジュールユニットのホルダー、電子モジュールユニットの取付け構造は、複写機、スキャナー、ファクシミリ等のプリンター以外の各種のデータ処理装置あるいは電子機器に適用可能である。また、電子モジュールユニットは、ＨＤＤ以外の記憶装置、例えばＳＳＤ（ソリッドステートドライブ）であってもよい。
【符号の説明】
【００４４】
１…ＨＤＤ（電子モジュールユニット）、２…上面、３…底面、４、５…側面、６…前端面、７…後端面、８…ネジ、１０…ＨＤＤホルダー（電子モジュールユニットホルダー）、１１…枠体、１１ａ…縦枠部（第１の支持部）、１１ｂ…縦枠部（第２の支持部）、１１ｃ、１１ｄ…横枠部、１１ｅ…張り出し部、１１ｆ…ネジ孔（モジュール固定部）、１２…第１取付部（第１のホルダー取付部）、１２ａ…第１側板部分、１２ｂ…第１連結板部分、１２ｃ…第１取付板部分、１２ｄ…ネジ孔、１３…第２取付部（第４のホルダー取付部）、１３ａ…第２側板部分、１３ｂ…第２連結板部分、１３ｃ…第２取付板部分、１３ｄ…ネジ孔、１４…第３取付部（第２のホルダー取付部）、１４ａ…第３側板部分、１４ｂ…切り欠き穴、１４ｃ…第３取付板部分、１４ｄ…ネジ孔、１５…第４取付部（第３のホルダー取付部）、１５ａ…第４側板部分、１５ｂ…切り欠き穴、１５ｃ…第４取付板部分、１５ｄ…ネジ孔、２０…ユニットフレーム（フレーム）、２０Ａ…収容部、２１…底板部、２２〜２４…側板部、２５〜２８…第１〜第４取付片（第１〜第４取付部）、２５ａ〜２８ａ…ネジ孔、２９…ネジ、４０…制御ユニット、６０…プリンター（電子機器）、６１…プリンターケース、６２…ジャーナル発行口、６３…挿入口、６４…排出口
【図１】
2015022781.tif 000003
【図２】
2015022781.tif 000004
【図３】
2015022781.tif 000005
【図４】
2015022781.tif 000006